(57)【特許請求の範囲】
【請求項１】
左右に離間する脚支柱に対して天板が略水平な使用位置と、略垂直な待避位置との間で回動し、且つ前記両位置を係合手段により維持すると共に、該係合手段を前記天板に設けた操作部材により解除可能とした折り畳みテーブルにおいて、
前記左右両脚支柱上端部に上方と前後方向とが開口する凹所を有する２枚の支持板を備えた支持具をそれぞれ設け、該２枚の支持板間に前記天板の左右下面側に設けた左右フレームをそれぞれ枢着する枢軸と、前記係合手段とを配設し、前記係合手段は、前記左右フレーム内にそれぞれ摺動自在であって前記操作部材により摺動操作される前後に１対の係止軸を備えた作動部材と、該作動部材の回動を阻止する前記支持具の前後に１対ずつ形成した係合溝とで構成され、前記天板が略水平な使用位置となった時に前記前方の係止軸と前記前方の係合溝が係止し、前記天板が略垂直な待避位置となった時に前記後方の係止軸と前記後方の係合溝が係止し、前記２枚の支持板の対向する両内面側の前後に前記した１対ずつの係合溝が形成されていることを特徴とする折り畳みテーブル。
【請求項２】
前記前方の係合溝は前方に向けて開口する水平な溝であり、前記後方の係合溝は前方が下方に向かって折曲した逆Ｌ字状の溝である請求項１に記載の折り畳みテーブル。
【発明の詳細な説明】
【０００１】
【発明の属する技術分野】
本発明は、左右に離間する脚支柱に対して天板が略水平な使用位置と、略垂直な待避位置との間で回動し、且つ前記両位置を係合手段により維持すると共に、該係合手段を前記天板に設けた操作部材により解除可能とした折り畳みテーブルに関する。
【０００２】
【従来の技術】
この種の折り畳みテーブルとしては、本件出願人は天板回動係止部が外部から隠蔽されるようにすると共に、指などが挟まれる危険性が回避され、安全性を向上することができる改良された折り畳みテーブルを既に開発している。
【０００３】
図８（ａ）は天板が水平位置に保持された状態を示す上述の折り畳みテーブルの側面図であり、図８（ｂ）は（ａ）のＡ−Ａ断面図である。
【０００４】
図８の（ａ）に示すように、折り畳みテーブル０１は、天板０２の下面両側部に設けた左右一対の前後方向を向くブラケット０３と、それぞれ左右方向を向く枢軸０５をもって左右一対の脚柱上端部に天板０２を枢着することにより、天板０２を、両脚支柱０４の上端近くにおいて倒伏する水平の使用位置と、脚支柱０４の前側が上方に起立する折り畳み位置との間を回動し得るようになっている。
【０００５】
詳しくは、両脚支柱０４の上端部内側面に、枢軸０５が挿通する軸孔０７と、ブラケット０３に設けた左右方向を向く２本の係止ピン０８、０９と係合して天板０２を水平の使用位置と起立位置とに保持し得る２個の係合溝０１０ａ、０１０ｂとを前後に有する板状の支持片０１２が設けられ、この支持片０１２の上端部と、操作レバー０１３の操作に連動して係止ピン０８、０９と両係合溝０１０ａ、０１０ｂとの係脱を行う係止ピン移動部材０１５とを、図８（ｂ）に示すように、ほぼ下向きコ字形とした一方のブラケット０３の対向する両側板０３ａ、０３ｂ間に収容している。
【０００６】
【発明が解決しようとする課題】
ところで、上記のように構成された折り畳みテーブル０１の両係合溝０１０ａ、０１０ｂは、板状の支持片０１２の外周の一部を切り欠いて形成した構造となっているため、両側板０３ａ、０３ｂ間に収容されているとはいうものの、天板０２を垂直状態に位置決めした際には片側の係合溝０１０ｂが露呈し、他の係合溝０１０ａは両側板０３ａ、０３ｂ間に位置しているが、操作レバー０１３の操作時やメンテナンス時に指などを挟む危険性を有することから、出願人は更に研究を進めた結果、天板０２を水平または垂直状態に位置決めする係合溝を凹所内に配置することが安全性を向上できる点に着目し本発明の折り畳みテーブルの操作装置を開発した。
【０００７】
本発明は、このような状況に鑑みてなされたもので、天板が垂直位置に位置決めされている時、或いは回動操作時等において安全性を図ることができる折り畳みテーブルを提供することを目的とするものである。
【０００８】
【課題を解決するための手段】
上記課題を解決するために、本発明の折り畳みテーブルは、左右に離間する脚支柱に対して天板が略水平な使用位置と、略垂直な待避位置との間で回動し、且つ前記両位置を係合手段により維持すると共に、該係合手段を前記天板に設けた操作部材により解除可能とした折り畳みテーブルにおいて、前記左右両脚支柱上端部に上方と前後方向とが開口する凹所を有する２枚の支持板を備えた支持具をそれぞれ設け、該２枚の支持板間に前記天板の左右下面側に設けた左右フレームをそれぞれ枢着する枢軸と、前記係合手段とを配設し、前記係合手段は、前記左右フレーム内にそれぞれ摺動自在であって前記操作部材により摺動操作される前後に１対の係止軸を備えた作動部材と、該作動部材の回動を阻止する前記支持具の前後に１対ずつ形成した係合溝とで構成され、前記天板が略水平な使用位置となった時に前記前方の係止軸と前記前方の係合溝が係止し、前記天板が略垂直な待避位置となった時に前記後方の係止軸と前記後方の係合溝が係止し、前記２枚の支持板の対向する両内面側の前後に前記した１対ずつの係合溝が形成されていることを特徴としている。
この特徴によれば、２枚の支持板の対向する両内面側の前後に形成した１対ずつの係合溝に、フレーム内に摺動自在の作動部材の前後に設けた一対の係止軸が軽視できるように構成されているので、天板が略水平な位置にある時と、略垂直な待避位置にある時とで係止軸が支持板の両側で確実に支持されるとともに、係止時に不用意に指などが挟まれる危険性がなく、外観上の美観も向上する。
【００１１】
本発明の折り畳みテーブルは、前記前方の係合溝は前方に向けて開口する水平な溝であり、前記後方の係合溝は前方が下方に向かって折曲した逆Ｌ字状の溝であることが好ましい。
このようにすれば、水平な溝は水平状態に天板をはめやすく抜けにくい利点があり、逆Ｌ字状溝は起立状態の天板が水平状態に移動するのを拘束できる。
【００１３】
【発明の実施の形態】
以下、本発明の実施例を図面に基づいて説明する。図１は本発明の折り畳みテーブルを示し、（ａ）は水平な使用状態にある折り畳みテーブルの斜視図、（ｂ）は垂直な待避位置にある折り畳みテーブルの斜視図、図２はテーブル下面における操作装置の分解斜視図、図３の（ａ）は使用状態にある折り畳みテーブルの係合手段を示す部分拡大側面図であり、（ｂ）は折り畳みテーブルの係合手段を示す一部破断した部分側面図である。
【００１４】
先ず、図１において、折り畳みテーブル１は、底面の左右に配置されて前後に開脚された一対の脚支柱となる脚柱４ａ、４ｂの下端に設けられた４個のキャスタＳに支持されて床面３上を移動可能であって、床面３の所定位置に停止保持することができるようになっている。
【００１５】
この折り畳みテーブル１は、図１の（ａ）に示すように、使用状態では脚支柱に対して前方Ｆが手前に位置するように横長矩形の天板２が略水平に保持された状態に維持され、不使用時には図１の（ｂ）に示すように、天板の前方Ｆが上方に向く垂直な待避位置に保持した状態に維持されて複数台の折り畳みテーブルと共に重ねて収容することができるようになっている。
【００１６】
そして、上記のように水平位置と不使用状態となる垂直位置で係合保持した状態で維持される天板２には、両位置間で回動する際に上記の係合状態を解除するための操作装置が設けられている。
【００１７】
また、上記の折り畳みテーブル１は、図２に示すように、左右一対の脚支柱４ａ、４ｂの上端に、前後に突設した一対の支持板６ａ、６ｂから成る支持具５ａ、５ｂがそれぞれ取着され、これら左右の支持具５ａ、５ｂ間は連結部材１２で連結されている。更に、天板２は、連結部材１２と横フレーム９ａとの中間にはダンパー装置Ｄが連結されており、天板２が回動した終端位置での衝撃を緩和している。
【００１８】
一方、天板２の下面には前後に延びる左右の縦フレーム８ａ、８ｂと、これら一対の縦フレーム８ａ、８ｂ間の前後に接続された横フレーム９ａ、９ｂとが取付けられており、これら縦、横の各フレーム８ａ、８ｂ及び９ａ、９ｂは、上方が開口する断面コ字形に形成され、前方に配置される横フレーム９ａ中央の前方側板には操作装置１５に接続される一対のワイヤーＷ１、Ｗ２の端部を挿通するための開口１０が形成されている。
【００１９】
更に、前方の横フレーム９ａには、その下面に上面が開口する断面コ字形のフレームカバー１４が装着されており、その中央前方には開口１０を挿通した一対のワイヤー係止片Ｗ１ｂ、Ｗ２ｂが挿通するための挿通孔１４ａ、１４ｂが形成されている。
【００２０】
左右の縦フレーム８ａ、８ｂ側面の略中央には、幅方向に貫通する一対の長孔１６ａ、１６ｂが前後に形成されると共に、両長孔１６ａ、１６ｂの中間部には支持孔１８が穿設されている。
【００２１】
これら縦フレーム８ａ、８ｂの内部には略中央に、係合手段の一方を構成する直方体状に形成されたブロック状の作動部材２０が前後方向に摺動可能に挿嵌されており、この作動部材２０には、長孔１６ｂに対応する係止軸２６（図３参照）を挿通する貫通孔２２と、支持孔１８に対応する長孔２３が形成され、後方には左右フレーム８ａ、８ｂ後方の上部に形成された切欠き溝２１に一端を係止した引っ張りバネ２４の他端を係止するための係止軸３０（図３参照）を挿通する貫通孔２５が穿設されている。
【００２２】
上記のように構成された作動部材２０は、それぞれ両縦フレーム８ａ、８ｂ内部の略中間部位に挿嵌されると、それぞれ対応位置にあるそれぞれのフレーム８ａ、８ｂ前方の両長孔１６ｂと作動部材２０前方の貫通孔２２に、図３に示す係止軸２６が挿通されると共に、縦フレーム８ａ、８ｂ後方の両長孔１６ａと作動部材２０後方の貫通孔２５に、図３に示す係止軸３０が挿通されることで、前後に配置された２本の係止軸２６、３０により前後方向に移動可能に支持された状態で縦フレーム８ａ、８ｂの内部に組み込まれる。
【００２３】
また、脚支柱４ａ、４ｂ上端の支持具５ａ、５ｂは、図２及び図３の（ａ）、（ｂ）に示すように、一対の支持板６ａ、６ｂで挟まれた中間部が上方と前後方向に開放された凹所として形成され、後方部に貫通孔３２が穿設されると共に後端側対向面には前方が下方に向かって折曲した逆Ｌ字状の一対の係合溝３５が形成され、前方部の対向する内面には前方に向けて開口する水平な一対の係合溝３４が形成されている。この水平な係合溝３４と逆Ｌ字状の係合溝３５は本発明の係合手段の他方である係合部を構成している。
【００２４】
両支持具５ａ、５ｂの支持板６ａ、６ｂに穿設された貫通孔３２より作動部材２０の長孔２３に枢軸２８を挿通させることで、左右のフレーム８ａ，８ｂは、両脚支柱４ａ、４ｂ上端の支持具５ａ、５ｂに枢軸２８を介して回動可能に枢着される。枢軸２８はこの２枚の支持板６ａ、６ｂ間に支承されているので、左右のフレーム８ａ，８ｂそれぞれを確実に支持することができる。
【００２５】
図２に示すように、両縦フレーム８ａ、８ｂ内にそれぞれ組み込まれた各作動部材２０前端の係合溝に、ワイヤーＷ１、Ｗ２の一端に設けた係止片Ｗ１ａ及びＷ２ａが係止され、このワイヤーＷ１、Ｗ２を両縦フレーム８ａ、８ｂと前方の横フレーム９ａ内に屈曲した状態で収容し、その他端側の係止片Ｗ１ｂ、Ｗ２ｂを操作装置１５の操作部材３６に接続する。
【００２６】
そして、両縦フレーム８ａ、８ｂ後方の切欠き溝２１に一端を係止した引っ張りバネ２４の他端が作動部材２０の後方に挿入した係止軸３０に係止することで、作動部材２０は後方に付勢され、各ワイヤーＷ１、Ｗ２には張力が作用した状態となっている。
【００２７】
操作装置１５は、合成樹脂等で一体的にケース状に成形された操作部材３６と、天板２前方の裏面中央に固定されこの操作部材３６を前後方向に移動可能に係合保持する固定部材３８と、操作部材３６に対し前方に突出し、後方に押すことで操作部材３６の操作を可能にするようにした安全レバー４４とから構成されている。
【００２８】
このように構成された操作装置１５は、操作する際は、例えば人手の親指により安全レバー４４を押圧しつつ操作部材３６を手前に引き出すことにより、作動部材２０を摺動させて係合手段を駆動する。係合手段は前後方の２つの手段からなり、図２及び図３の（ａ）、（ｂ）に示すように、前方の第１の係合手段である係止軸２６と係合溝３４との係合、または後方の第２の係合手段である係止軸３０と係合溝３５との係合状態を解除操作することができる。
【００２９】
次に、天板２を水平または垂直位置に位置決めする係合手段につき図４〜図７を参照して説明する。
【００３０】
図４は両脚支柱上端部の支持具に左右の縦フレームが水平に支持された状態を示す部分斜視図、図５は両脚支柱上端部の支持具に左右の縦フレームが垂直に支持された状態を示す部分斜視図、図６は脚支柱上端部の支持具を斜め前方側から視た部分斜視図であり、図７は脚支柱上端部の支持具を斜め後方側から視た部分斜視図である。
【００３１】
先ず、図６及び図７に示すように、脚支柱４ａ、４ｂ上端の支持具５ａ、５ｂは、前後方において上方に突出し左右一対の対向した支持板６ａ、６ｂからなり、上方と前後方向が開放されて左右フレーム８ａ，８ｂが枢動できるように凹所が形成されている。
【００３２】
左右一対の支持板６ａ、６ｂ間は湾曲形成されており、この上面に合成樹脂などで一体成形された緩衝機能を有する受材４０が着脱可能に装着される。この受材４０は、この一端側の幅方向に、貫通孔３３が形成された左右一対の支持片４２ａ、４２ｂを有し、他端側前方に所定の円弧で下方に折曲した突設部４０ｂを形成し、支持片４２ａ、４２ｂ間の下面と突設部４０ｂ間は下方に湾曲した湾曲帯４０ｄで連絡されている。
【００３３】
更に受材４０は、湾曲帯４０ｄで連絡される前方側の突設部４０ｂ上面に形成される水平面が第１当接部４０ａとして構成されると共に、湾曲帯に連絡する後方側が下方に向けて折曲した突設部が第２当接部４０ｃとして構成されている。
【００３４】
受材４０が装着された状態では、図６に示すように、前方に形成される第１当接部４０ａの前方を折曲形成した突設部４０ｂの外側面が、支持板６ａ、６ｂの先端より前方に若干突出した当接部として構成されている。
【００３５】
そして、第１当接部４０ａを挟む左右一対の支持板６ａ、６ｂの対向面には前方に向けて開口する水平な一対の係合溝３４が形成されている。また、図７に示すように、受材４０が装着された状態では、第２当接部４０ｃを挟んだ左右一対の支持板６ａ、６ｂの対向面には、前方で下方に向けて折曲した一対の逆Ｌ字状の係合溝３５が形成されている。
【００３６】
この係合溝３４は、前方に開口する溝であるから天板を水平状態にしたときにはめやすく且つ一度はめた後は抜けにくい形状であり、一方、逆Ｌ字状溝３５は起立状態の天板２が水平状態に移動するのを拘束できる。
【００３７】
左右一対の支持板６ａ、６ｂの貫通孔３２を挿通した枢軸２８は、左右のそれぞれの縦フレーム８ａ、８ｂと受材４０を枢動可能に装着し、そして、縦フレーム８ａ、８ｂが支持具５ａ、５ｂ上に水平状態にある時は、図４に示すように、縦フレーム８ａ、８ｂ前方の両側面から突出した係止軸２６両端が係合溝３４にバネ２４の付勢力により作動部材２０を介して係合した状態となっている。
【００３８】
また、図５に示すように、縦フレーム８ａ、８ｂが支持具５ａ、５ｂ上に支持されて垂直状態にある時は、縦フレーム８ａ、８ｂの下面が受材４０後端に下方に設けた突設部４０ｃに当接した状態となる。
【００３９】
次に、上記のように構成された折り畳みテーブルの天板を水平または垂直位置に位置決めする作用につき説明する。
【００４０】
先ず、図１の（ａ）に示すように、水平状態にある天板２を収納するに際し、前方Ｆが上方に位置する略垂直な待避位置に回動させるために操作装置１５の操作を行う。
【００４１】
そこで、図２における操作装置１５の安全レバー４４を押圧することで操作が可能となった操作部材３６を手前に引く操作により、一対のワイヤーＷ１、Ｗ２が牽引され両作動部材２０が引っ張りバネ２４の付勢力に抗して前方に移動する。
【００４２】
この作動部材２０の移動により、両作動部材２０前方の係止軸２６両端は、支持板６ａ，６ｂに形成した係合溝３４から離脱し、天板２はロック状態から開放されて、枢軸２８を中心として回動可能な状態となり、水平状態から人為的に前端Ｆを上方に回動させることができるようになる。
【００４３】
これによって、図５に示すように、左方のフレーム８ａが垂直状態まで回動すると、このフレーム８ａが、受材４０外側面の第２当接部４０ｃに当接してその衝撃が緩和される。
【００４４】
天板２が略垂直状態になると、図３（ｂ）に示すように、両作動部材２０後方側の係止軸３０両端が逆Ｌ字状の一対の係合溝３５に係合し、引っ張りバネ２４の付勢力によってその状態が維持され、操作装置１５は操作部材３６がロックされて初期の状態に維持される。
【００４５】
そして、垂直状態に位置決めされた折り畳みテーブル１を、前後に重ねて収納する際には、天板２の上面が、隣接する折り畳みテーブル１の受材４０の突設部４０ｂに当接して当接時の衝撃や擦り傷の発生を防止することができる。
【００４６】
次に、天板２を再び使用状態にするときは、操作装置１５の安全レバー４４を押圧することで操作が可能となった操作部材３６を手前に引くことにより、一対のワイヤーＷ１、Ｗ２を介して両作動部材２０が引っ張りバネ２４の付勢力に抗して前方に移動する。
【００４７】
これにより、フリー状態になった天板２は、垂直状態の上端部に手をかけて前方に傾倒し人為的に水平状態に回動することができる。天板２が枢軸２８を中心として水平状態まで回動した際は、図４に示すように、縦フレーム８ａの下面が支持具５ａ上における受材４０の第１当接部４０ａに当接することで、当接時の衝撃が緩和される。
【００４８】
このように天板２が水平状態まで回動されると、縦フレーム８ａ、８ｂ前方の両側面から突出した係止軸２６両端は、支持板６ａ、６ｂに案内されて、引っ張りバネ２４の付勢力によって係合溝３４に係合してその状態が維持され、これと同時に操作部材３６がロックされて操作装置１５は初期の状態に維持される。
【００４９】
従って、上記のように構成された折り畳みテーブル１によれば、両脚支柱４ａ、４ｂの上端部に上方と前後方向とが開口する凹所を有する支持具５ａ，５ｂをそれぞれ設け、該凹所内に天板２の左右下面側に設けた左右フレーム８ａ，８ｂをそれぞれ枢着する枢軸２８と、係合手段とを配設したことで従来のように天板の位置決め部を隠蔽収納するブラケットなどを設けずに簡素化することができるだけでなく安全性を向上することができる。
【００５０】
また、係合溝３４が、凹所を形成する支持板６ａ、６ｂの前方内面に形成されると共に、係合溝３５が、凹所を形成する支持板６ａ、６ｂの後方内面に形成され、且つ前方の係止軸２６並びに後方の係止軸３０を、左右フレーム８ａ、８ｂの前方及び後方の両側より両端が突設するように構成し、両係止軸２６又は３０が係合時において、それらの両端が係合溝３４または係合溝３５に収容されるので、係合時に不用意に指などが挟まれる危険性がないばかりででなく、外観上の美観が向上する。
【００５１】
【発明の効果】
本発明は以下の効果を奏する。
【００５２】
（ａ）請求項１項の発明によれば、２枚の支持板の対向する両内面側の前後に形成した１対ずつの係合溝に、フレーム内に摺動自在の作動部材の前後に設けた一対の係止軸が軽視できるように構成されているので、天板が略水平な位置にある時と、略垂直な待避位置にある時とで係止軸が支持板の両側で確実に支持されるとともに、係止時に不用意に指などが挟まれる危険性がなく、外観上の美観も向上する。
【００５５】
（ｂ）請求項２項の発明によれば、水平な溝は水平状態に天板をはめやすく抜けにくい利点があり、逆Ｌ字状の溝は起立状態の天板が水平状態に移動するのを拘束できる。
【図面の簡単な説明】
【図１】本発明の折り畳みテーブルを示し、（ａ）は水平な使用状態にある折り畳みテーブルの斜視図、（ｂ）は垂直な待避位置にある折り畳みテーブルの斜視図である。
【図２】テーブル下面における操作装置の分解斜視図である。
【図３】（ａ）は使用状態にある折り畳みテーブルの係合手段を示す部分拡大側面図、（ｂ）は折り畳みテーブルの係合手段を示す一部破断した部分側面図である。
【図４】両脚支柱上端部の支持具に左右の縦フレームが水平に支持された状態を示す部分斜視図である。
【図５】両脚支柱上端部の支持具に左右の縦フレームが垂直に支持された状態を示す部分斜視図である。
【図６】脚支柱上端部の支持具を斜め前方側から視た部分斜視図である。
【図７】脚支柱上端部の支持具を斜め後方側から視た部分斜視図である。
【図８】（ａ）は天板が水平位置に保持された状態を示す従来の折り畳みテーブルの側面図、（ｂ）は（ａ）のＡ−Ａ断面図である。
【符号の説明】
１                    折り畳みテーブル
２                    天板
３                    床面
４ａ、４ｂ            脚支柱
５ａ、５ｂ            支持具
６ａ、６ｂ            支持板
８ａ、８ｂ            左右の縦フレーム
９ａ、９ｂ            横フレーム
１０                  開口
１２                  連結部材
１４                  フレームカバー
１４ａ、１４ｂ        挿通孔
１５                  操作装置
１６ａ、１６ｂ        長孔
１８                  支持孔
２０                  作動部材
２１                  切欠き溝
２２                  貫通孔
２３                  長孔
２４                  引っ張りバネ
２５                  貫通孔
２６                  係止軸
２８                  枢軸
３０                  係止軸
３２、３３            貫通孔
３４、３５            係合溝
３６                  操作部材
３８                  固定部材
４０                  受材
４０ａ                第１当接部
４０ｂ                突設部
４０ｃ                第２当接部
４０ｄ                湾曲帯
４２ａ、４２ｂ        支持片
４４                  安全レバー
Ｄ                    ダンパー装置
Ｆ                    前方
Ｓ                    キャスタ
Ｗ１、Ｗ２            ワイヤー
Ｗ１ａ、Ｗ２ａ        係止片
Ｗ１ｂ、Ｗ２ｂ        係止片
【図１】
0004073694.tif 000002
【図２】
0004073694.tif 000003
【図３】
0004073694.tif 000004
【図４】
0004073694.tif 000005
【図５】
0004073694.tif 000006
【図６】
0004073694.tif 000007
【図７】
0004073694.tif 000008
【図８】
0004073694.tif 000009